(57)【要約】      （修正有）【課題】使用者の体の部位に対応した異なる弾性係数のスプリング層を組み換えることができ、破損又は弾性疲労のスプリング層を簡単に取り替えできるマットレスを提供する。【解決手段】囲い部２１に収容空間を形成する。底面層２２の上面に縦横に交差して複数の縦溝部を設け、溝部２２２の間に複数の突起塊２２４を形成される。底面層２２を収容空間の底部に設ける。複合式スプリング層２はそれぞれ独立スプリング装入体２３２を備え、底部層の上方に畳設する。表面層２４をスプリング層の上部に畳設する。外装体２５によって囲い部２１と、底面層２２と、スプリング層２３と表面層２４とを被せる。【選択図】図２
0003162301.tif 000002
【実用新案登録請求の範囲】
【請求項１】
囲い部と、底面層と、複数のスプリング層と、表面層と、外装体とを備えた複合式スプリングマットレスであって、
前記囲い部によって囲い込んで収容空間が形成され、
前記表面層の上面は縦横に交差して複数の溝部が設けられるとともに、前記溝部の間に複数の突起塊が形成され、前記底面層が前記収容空間の底部に設けられ、
前記複数のスプリング層が複数の独立スプリング装入体を備えていて、前記底面層の上方に畳設され、
前記表面層が前記スプリング層の上方に畳設され、
前記外装体によって、前記囲い部と、前記底面層と、前記スプリング層と、前記表面層とをすべて被せる複合式スプリングマットレス。
【請求項２】
前記スプリング層がそれぞれ異なる弾性係数を有することを特徴とする請求項１記載の複合式スプリングマットレス。
【請求項３】
前記外装体上面の周縁はさらに開口部が設けられ、前記開口部に閉合構造が設けられていることを特徴とする請求項２記載の複合式スプリングマットレス。
【請求項４】
前記閉合構造はチャック、ボタンまたはベルクロのいずれかひとつであることを特徴とする請求項３記載の複合式スプリングマットレス。
【考案の詳細な説明】
【技術分野】
【０００１】
本考案はスプリングマットレスに関し、特に自由な組合せと、内部スプリング層を置き換えて、様々なタイプに組み合わせることができる複合式スプリングマットレスに関する。
【背景技術】
【０００２】
良質の睡眠は、深い眠りに入りやすく、体力と精神を回復し体の健康を維持するうえで重要である。医学報告によると、深い眠りの時間の長さによって我々の生理と精神状況に直接影響を与えることが知られている。一例として、赤ちゃんの睡眠不足は知能ばかりなく、睡眠時間の長さは記憶力にも直接影響を与える。これらの問題はマットレスの構造に絶対的な関係がある。
【０００３】
マットレスは体に対してバランスの整った圧力が作用することに注意する必要がある。横臥したとき体の各部位（たとえば、頭部、肩部、背中部等）のマットレスに与える圧力がそれぞれ異なる。硬すぎたりまたは柔らかすぎるマットレスは快適さをなくすばかりでなく、体の痛みを引き起こすことがある。よって、快適なベッドは人それぞれのニーズに従って設計する必要がある。
図１を参照して説明すると、従来のスプリングマットレス１はスプリング層１１の上面と底面にそれぞれライニング１２が設けられ、さらにその全体をカバー体１３によって完全に被覆した後、ミシン等で縫製加工して一体に固定されている。
【考案の概要】
【考案が解決しようとする課題】
【０００４】
しかし、前述したスプリングマットレス１の内部には、単一弾性係数のスプリング層１１が収容されているため、使用者が横臥すると体の各部位に従った弾性係数を調節することができない。
さらに、カバー体１３とライニング１２は使用につれて、劣化またはしみが入り、異臭を発したり各種のバイ菌が発生する。
カバー体１３の開口部はミシンで縫製されて固定されているため、カバー体１３またはライニング１２が汚れたときに使用者が自ら取外して洗浄することができず、新しいスプリングマットレス１に取り替えるしかない。
しかし、スプリング層１１の使用寿命は長く、そのまま新しいスプリングマットレス１に取り替えることは極めて不経済であるだけでなく、環境保護の潮流にそぐわない。
また、スプリング層１１はライニング１２の間にて自在に取り付けられているため、ライニング１２とスプリング層１１とが互いに交差運動することから、使用時の安定性が大幅に影響を受ける。加えて、スプリング層１１のスプリングが交差運動した後に、元の位置に戻ることができず、スプリングマットレスが破壊されるおそれがある。
【課題を解決するための手段】
【０００５】
本考案は前述した従来のスプリングマットレスの欠点に鑑みてなされたもので、取外しおよび組立可能なスプリングマットレス構造を提案するもので、特殊な底面層が設けられ、スプリング層を有効に固定できて、使用時の安定性および通気性を改善できて快適度が向上するものである。さらに、本考案は内部に弾性の異なる複数のスプリング層を組み合て使用することで、使用者の需要に応じて自由に組み換えまたは置き換えができる。
【０００６】
本考案の目的は使用者の需要に応じて自由に組み換え可能な複数のスプリング層を備えた複合式スプリングマットレスを提供し、使用者が横臥するときに、体の部位に対応した異なる弾性係数のスプリング層を組み換えることができ、破損又は弾性疲労のスプリング層を簡単に取り替えができることにある。
【０００７】
前述した目的を達成するため、本考案に係る複合式スプリングマットレスは、囲い部と、底面層と、複数のスプリング層と、表面層と、外装体とを備えた複合式スプリングマットレスを提供する。囲い部に収容空間を形成する。底面層の上面に縦横に交差して複数の溝部を設け、溝部の間に複数の突起塊を形成される。底面層を収容空間の底部に設ける。複合式スプリング層はそれぞれ独立スプリング装入体を備え、底部層の上方に畳設する。表面層をスプリング層の上部に畳設する。外装体によって囲い部と、底面層と、スプリング層と表面層とを完全に被せる。スプリング層はそれぞれ異なる弾性係数を有し、使用者によって自由に組合せて使用できる。
【０００８】
スプリングマットレスの清浄と内部素子の取り替え便利を図るため、外装体上面の周縁はさらに開口部が設けられ、開口部に閉合機構が設けられている。閉合機構はチャック、ボタンまたはベルクロのいずれかであっても良い。
【考案の効果】
【０００９】
本考案の効果は取外しまたは組立可能なスプリングマットレス構造を提供するものである。
本考案は特殊な底面層設計を備え、スプリング層を有効に固定でき、使用時における安定性および通気性の快適度を向上できる。
さらに、内部には弾性の異なる複数のスプリング層により組み合わされ、使用者の需要に応じて自由に組み換え、または置き換えすることができるので、使用者が横臥したときに、体の部位に応じてそれぞれ異なる弾性係数のスプリング層を組合せて使用することが可能である。
さらに、破壊又は弾性疲労したスプリング層を簡単に取り替えるができる。
さらにまた、従来のミシン縫製方式によって外装体を外部に固定するに代わり、外装体の開口部に閉合機構（たとえば、チャック、ボタンまたはベルクロ）を設けたことで、スプリングマットレスの内部が汚れたとき、または破損したときには表面層、底面層またはスプリング層を簡単に取り替えることができる。
【図面の簡単な説明】
【００１０】
【図１】公知のスプリングベッドの構造を示す図である。
【図２】本考案の好ましい実施例の構造断面図である。
【図３】本考案の好ましい実施例の構造分解図である。
【図４】本考案の他の実施例の構造断面図である。
【考案を実施するための形態】
【００１１】
以下図面を参照しながら本考案を実施するため形態について詳しく説明する。
【実施例】
【００１２】
図２、図３は本考案の好ましい実施例の構造断面図と分解図を示したものである。
本考案に係る複合式スプリングマットレス２は、囲い部２１と、底面層２２と、複数のスプリング層２３と、表面層２４と、外装体２５とを含む。
本実施例は使用者自らの需要に応じて複合式スプリングマットレス２に内設された各横臥部位のスプリング層２３を調節することによって、様々な弾性係数を形成し、それぞれの需要に適応できる。
囲い部２１は４つの側壁からなり、この４つの側壁の間に収容空間が囲まれている。
囲い部２１は複合式スプリングマットレス２の４つの側面である。
よって、スプリング層２３は囲い部２１より形成された収容空間に設けられている。
スプリング層２３は複数の独立スプリング装入体２３２より組み合わされる。
スプリング層２３は収容空間においてそれぞれ独立に設置されている。
一つのスプリング層２３が弾性疲労または破損した場合はスプリング層２３を置き換えだけで、スプリング全体を交換する必要がない。
また、本考案は様々な横臥圧力需要のマットレスに応えるため、スプリング層２３はそれぞれ異なる弾性係数を形成できる。
識別の便利を図るため、異なる色でもって独立スプリング装入体２３２をもって、素早く識別することができる。
このように、スプリング層２３を収容空間に取り付けた後、使用によりスプリング層２３に滑りまたはずれを防止するため、囲い部２１の下方に底面層２２が設けられている。
スプリング層２３を底面層２２の上方に取り付けることもできる。
底面層２２の上面に複数の縦溝部２２２を交差して設けられ、溝部２２２の間に複数の突起塊２２４を形成され、材質はラテックス、ウレタンフォーム（ＰＵ  ｆｏａｍ）等の類似部材を実施しても良い。
よって、スプリング層２３を底面層２２の上部に取り付けた後、底面層２２の突起塊２２４が圧力を受けると、受圧により溝部２２２方向に変形し緩衝を形成される。このようにスプリング層２３の受圧によるずれまたは滑りを軽減できる。
【００１３】
スプリング層２３を収容空間に取り付けた後、スプリング層２３の上方に表面層２４が設けられ、使用者の横臥に備える。
表面層２４はシリコン樹脂、ラテックス、羽毛、羊毛、絹織物またはウレタンフォームのいずれかひとつを使用しても良い。
最後に、外装体２５によって囲い部２１と、底面層２２と、スプリング層２３と、表面層２４とをすべて被せておく。
外装体２５上面の周縁はさらに開口部２５２を備える。複合式スプリングマットレス２はこの開口部より外装体２５に取り付けることができる。
開口部２５２に外装体２５を閉合するための閉合構造２５４を備える。
閉合機構２５４はチャック、ボタンまたはベルクロのいずれかであっても良い。
【００１４】
図４は本考案に係る他の実施例の構造断面図である。
本実施例は前の実施例とほぼ同じである。
ただし、表面層２４は第１表面層２４２と第２表面層２４４より組み合わされる。
取り付けするときに、第１表面層２４２を第２表面層２４４の上方に取付ける。
第１表面層２４２の材質は羽毛、羊毛、絹織物またはウレタンフォームのいずれかが使用され、第２表面層２４４はラテックス樹脂を使用されている。
ラテックス部材は優れた保持性を有するが、通気性と汗透過性は良くない。
これに対して、羽毛、羊毛、絹織物またはウレタンフォーム等には優れた柔軟性と、通気性と、汗透過性と保温性とを有する部材である。
よって、この種の被せ式表面層２４の設計は各種機能の需要に対応することができるほか、交換が便利であり、清潔で環境保護の要求に合致できる。
【００１５】
本考案の効果は一種の取外しまたは組立可能なスプリングマットレス構造を提供できる。特殊な底面層設計を備え、スプリング層を有効に固定でき、使用時の安定性および通気性の快適度を向上できる。さらに、内部には弾性の異なる複数のスプリング層より組み合わされ、使用者の需要に応じて自由に組み換えまたは置き換えができる。使用者が横臥のときに、体の部位に応じてそれぞれ異なる弾性係数のスプリング層を組合せ使用が可能であり、破壊又は弾性疲労のスプリング層または汚れた表面層も簡単に取り替えるができる。さらに、従来のミシン縫い方式によって外装体を外部に固定するに代わり、外装体の開口部に閉合機構（たとえば、チャック、ボタンまたはベルクロ）を設けられ、スプリングマットレス内部の汚れまたは破損された表面層、底面層またはスプリング層を簡単に取り替えられる。
【００１６】
以上に説明したものは、本考案の好ましい実施例であり、本考案の実施範囲に制限を加わるものではない。よって、当該技術に熟知する者では本考案の精神と範囲を逸脱されない、いかなる等効果変化と修飾とも、本考案の特許申請範囲に含まれる。
【符号の説明】
【００１７】
［公知技術］
１・・・・・・スプリングマットレス
１１・・・・・スプリング層
１２・・・・・ライニング
１３・・・・・カバー体
［本考案］
２・・・・・・複合式スプリングマットレス
２１・・・・・囲い部
２２・・・・・底面層
２２２・・・・溝部
２２４・・・・突起塊
２３・・・・・スプリング層
２３２・・・・独立スプリング装入体
２４・・・・・表面層
２４２・・・・第１表面層
２４４・・・・第２表面層
２５・・・・・外装体
２５２・・・・開口部
２５４・・・・閉合構造
【図１】
0003162301.tif 000003
【図２】
0003162301.tif 000004
【図３】
0003162301.tif 000005
【図４】
0003162301.tif 000006